(57)【要約】【課題】使用しない時にはスピーカを露出させることなく片づけられるようにする。【解決手段】収容筐体７１の内部には、収容筐体７１の長手方向を軸方向とする回転軸７３が回転自在に設けられている。また、回転軸７３には、放音部６の左端が固定されている。巻取り機構７４は、収容部７から引き出された放音部６を、回転軸７３に巻きつけて収容するために設けられている。放音部６が回転軸７３に巻き取られた状態、つまり、放音部６が収容部７の収容筐体７１に収容されている状態においては、放音部６が外部に露出することなく片づけられている。また、収容筐体７１は、収容筐体７１の外部から加えられた力が放音部６の静電型スピーカに直接伝わることを防止するから、外部から加えられた力によって放音部６の静電型スピーカ（振動体）が破損する可能性を小さくする。【選択図】図４
2012005061.tif 000002
【特許請求の範囲】
【請求項１】
曲げが可能な電極と、曲げが可能で前記電極に対向して離間配置された振動体とを有する静電型スピーカを備えたシート状の放音部と、
前記振動体へバイアス電圧を印加し、入力された音響信号を前記電極に供給する駆動部と、
前記放音部を収容する空間を内部に有し、前記空間から外部へ開き前記放音部が通過する開口部を有する筐体と
を有するスピーカ装置。
【請求項２】
前記筐体は、
前記放音部の端部が固定され、前記放音部を巻き取る軸と、
前記放音部を巻き取る方向へ前記軸を回転させる巻取り手段と、
を前記空間内に有し、
前記放音部は、
前記軸に固定された端部とは反対側の自由端を他の前記スピーカ装置に固定する固定手段を有すること
を特徴とする請求項１に記載のスピーカ装置。
【請求項３】
前記放音部は、前記静電型スピーカを複数有し、
前記複数の静電型スピーカのうち、前記筐体外にある前記静電型スピーカを検知する検知手段を有し、
前記駆動部は、前記検知手段により検知された前記静電型スピーカの前記電極へ前記音響信号を供給すること
を特徴とする請求項１または請求項２に記載のスピーカ装置。
【発明の詳細な説明】
【技術分野】
【０００１】
本発明は、スピーカ装置に関する。
【背景技術】
【０００２】
スピーカの分野においては、静電型スピーカと呼ばれるスピーカがある。この静電型スピーカは、間隔を開けて向かい合う２枚の電極と、この２枚の電極の間に挿入された導電性を有するシート状の振動体とから構成されており、振動体に所定のバイアス電圧を印加しておき、電極に印加する電圧を変化させると、振動体に作用する静電力が変化し、これにより振動体が変位する。この印加電圧を入力される音響信号に応じて変化させれば、それに応じて振動体は変位を繰り返し、音響信号に応じた音響波が振動体から発生する。そして、このような静電型スピーカにおいては、非特許文献１に記載されているように、２枚の電極および振動体を柔らかい材料のものとすることで、様々な形に変形させることができるフレキシブル型の静電型スピーカが考案されている。
また、特許文献１には、圧電プラスチック製のフィルム状スピーカをスクリーン基材に接着固定したスクリーン部と、スクリーン部の下端部に取付けられている巻取り枠を有する投影用スクリーンが開示されている。この投影用スクリーンは、収納時には巻取り枠にスクリーン部が巻き付けられる。
【先行技術文献】
【特許文献】
【０００３】
【特許文献１】実開平５−４５６８９号公報
【非特許文献】
【０００４】
【非特許文献１】武岡成人、外５名、「コンデンサマイク／スピーカを用いた１ｂｉｔ波面記録再生システム」、電子情報通信学会技術研究報告．ＥＡ，応用音響、電子情報通信学会、平成１７年６月、ｐｐ．２５−３０
【発明の概要】
【発明が解決しようとする課題】
【０００５】
上述したようなスピーカは、折り畳んだり他の物に巻き付けたりすることができるため、使用していない時には小さくして片づけることができる。しかしながら、折り畳んだり他のものに巻き付けたりしただけでは、スピーカが露出したままとなる。
【０００６】
本発明は、上述した背景の下になされたものであり、使用しない時にはスピーカを露出させることなく片づけられる技術を提供することを目的とする。
【課題を解決するための手段】
【０００７】
本発明は、曲げが可能な電極と、曲げが可能で前記電極に対向して離間配置された振動体とを有する静電型スピーカを備えたシート状の放音部と、前記振動体へバイアス電圧を印加し、入力された音響信号を前記電極に供給する駆動部と、前記放音部を収容する空間を内部に有し、前記空間から外部へ開き前記放音部が通過する開口部を有する筐体とを有するスピーカ装置を提供する。
【０００８】
本発明においては、前記筐体は、前記放音部の端部が固定され、前記放音部を巻き取る軸と、前記放音部を巻き取る方向へ前記軸を回転させる巻取り手段と、を前記空間内に有し、前記放音部は、前記軸に固定された端部とは反対側の自由端を他の前記スピーカ装置に固定する固定手段を有する構成であってもよい。
【０００９】
本発明においては、前記放音部は、前記静電型スピーカを複数有し、前記複数の静電型スピーカのうち、前記筐体外にある前記静電型スピーカを検知する検知手段を有し、前記駆動部は、前記検知手段により検知された前記静電型スピーカの前記電極へ前記音響信号を供給する構成であってもよい。
【発明の効果】
【００１０】
本発明によれば、使用しない時にはスピーカを露出させることなく片づけることができる。
【図面の簡単な説明】
【００１１】
【図１】音響システムを構成する装置を示した図である。
【図２】スピーカシステムの正面図である。
【図３】静電型スピーカの構造および電気的構成を模式的に示した図である。
【図４】図２のスピーカ装置のＡ−Ａ´線断面図、Ｂ−Ｂ´線断面図である。
【図５】制御ユニットのハードウェア構成を示すブロック図である
【図６】変形例に係るスピーカシステムの正面図である。
【図７】変形例に係るスピーカ装置の断面図である。
【図８】変形例に係るスピーカシステムの正面図である。
【図９】変形例に係るスピーカ装置の断面図である。
【発明を実施するための形態】
【００１２】
以下、図面を参照して、本発明に係る音響システムについて説明する。
（１）構成
（音響システムの構成）
図１は、音響システム１を構成する装置を示した図である。
音響システム１は、再生装置２と、スピーカシステム４と、ケーブル３とを備えている。再生装置２は、所謂音楽プレーヤであり、光ディスクやＨＤＤ（Hard Disk Drive）に記録されている音響データを読み出す。また、再生装置２は、読み出した音響データをデコードし、音響データが表す音のアナログ信号（音響信号）を生成してスピーカシステム４に出力する。スピーカシステム４は、ケーブル３が接続される図示せぬ接続部を備えており、ケーブル３を介して再生装置２と接続される。スピーカシステム４は、再生装置２から入力された音響信号に応じた音響波を発生させる。
【００１３】
（スピーカシステムの構成）
図２は、スピーカシステム４の正面図である。
以降の図の説明においては、直交するＸ軸、Ｙ軸およびＺ軸で方向を示しており、スピーカシステム４を正面から見たときの左右方向をＸ軸の方向、奥行き方向をＹ軸の方向、高さ方向をＺ軸の方向としている。また、図中、「○」の中に「・」が記載されたものは図面の裏から表に向かう矢印を意味し、「○」の中に「×」が記載されたものは図面の表から裏に向かう矢印を意味するものとする。また、図中の各構成要素の寸法は、構成要素の形状を容易に理解できるように実際の寸法とは異ならせてある。スピーカシステム４は、音響波を発生させるスピーカ装置５ａと、スピーカ装置５ａに接続されるスピーカ装置５ｂとから構成されている。なお、本実施形態において、スピーカシステム４は、左側にスピーカ装置５ａ、右側にスピーカ装置５ｂを配置して構成されている。また、本実施形態において、スピーカ装置５ａ，５ｂの構成は同じであるため、両者を区別する必要が特に無い場合には添字の「ａ」および「ｂ」の記載を省略する。この符号の末尾に付された文字の省略については、他の構成要素についても同様とする。スピーカシステム４を構成するスピーカ装置５は、放音部６と、収容部７と、支持部８とを備えている。
【００１４】
放音部６は、正面から見て矩形の形状を有しており、保護布６１１，６１２と、静電型スピーカ６２１，６２２，６２３と、雄型コネクタ６３１ａ，６３２ａとを備えている。放音部６の左端は、固定端として収容部７の内部に固定されている。放音部６の右端は、自由端であり、雄型コネクタ６３１ａ，６３２ａを有している。放音部６の上端と下端は自由端である。雄型コネクタ６３１ａ，６３２ａは、スピーカ装置５ｂに設けられた雌型コネクタ７２１ｂ，７２２ｂと接続または分離が可能である。すなわち、雄型コネクタは、軸に固定された端部とは反対側の自由端を他のスピーカ装置に固定する固定手段の一例として機能する。
【００１５】
保護布６１１，６１２は、所謂布であり、正面から見て矩形の形状を有している。保護布６１１と保護布６１２の間には、Ｚ軸方向を長手方向とした静電型スピーカ６２１，６２２，６２３が、Ｘ軸方向に所定の間隔をあけて配置されている。保護布６１１と保護布６１２は、保護布６１１，６１２の外部から加えられた力が、静電型スピーカ６２１，６２２，６２３に直接伝わることを防止する。なお、図２においては、説明の都合上、保護布６１１の一部が省略されており、静電型スピーカ６２１，６２２，６２３の一部が保護布６１１に覆われずに露出しているが、実際には静電型スピーカ６２１，６２２，６２３のすべてが保護布６１１に覆われて構成されている。
【００１６】
静電型スピーカ６２１，６２２，６２３は、それぞれに入力された音響信号に応じた音響波を発生する。静電型スピーカ６２１，６２２，６２３は、Ｚ軸方向に長手を有し、正面から見て矩形の形状を有している。静電型スピーカ６２１，６２２，６２３のＺ軸方向の長さは、保護布６１１，６１２のＺ軸方向の長さよりも短い。また、静電型スピーカ６２１，６２２，６２３のＸ軸方向の長さの総和は、保護布６１１のＸ軸方向の長さよりも短い。また、静電型スピーカ６２１，６２２，６２３のＹ軸方向の長さは、数ｍｍであり、静電型スピーカ６２１，６２２，６２３のＸ軸方向の長さと、静電型スピーカ６２１，６２２，６２３のＺ軸方向の長さに比べて短い。静電型スピーカ６２１，６２２，６２３は、図示せぬ接着テープで保護布６１１，６１２に接着されているため、各部材の位置関係が変化することがない。なお、この接着テープは、表面と裏面の両方に接着剤が塗布されており、電気を通さずに空気と音を通すものとする。なお、本実施形態においては、静電型スピーカ６２１，６２２，６２３の構成は同じであるため、それぞれを区別する必要が無い場合は、静電型スピーカ６２１についての説明を代表して行い、静電型スピーカ６２２，６２３についての説明を省略する。なお、静電型スピーカ６２１のＹ軸方向の長さは、数ｍｍに限られず、数十ｍｍの長さであってもよい。
【００１７】
図３は、静電型スピーカ６２１の構造および電気的構成を模式的に示した図である。
静電型スピーカ６２１は、振動体６２１１と、弾性部材６２１２Ｕ，６２１２Ｌと、電極６２１３Ｕ，６２１３Ｌとを備えている。なお、本実施形態においては、弾性部材６２１２Ｕ，６２１２Ｌの構成、および、電極６２１３Ｕ，６２１３Ｌの構成は同じであるため、両者を区別する必要が特に無い場合は添字の「Ｕ」および「Ｌ」の記載を省略する。
【００１８】
まず、静電型スピーカ６２１を構成する各部材について説明する。振動体６２１１は、例えばＰＥＴ（polyethylene terephthalate：ポリエチレンテレフタレート）、ＰＰ（polypropylene：ポリプロピレン）などのフィルムに、金属膜を蒸着あるいは導電性塗料を塗布したものであり、数μｍ〜数十μｍ程度の厚さとなっている。電極６２１３は、導電性を有する経糸と、同じく導電性を有する緯糸を平織りした布である。電極６２１３は、平織りされて空気の通過が可能となっているため、音響透過性が確保されている。なお、電極６２１３は、絶縁性を有する糸で織られた絶縁布で包んだ構造とすることで、電極６２１３同士が接触しても短絡することがないようにしてもよい。また、電極６２１３は、ＰＥＴまたはＰＰなどの絶縁性を有する合成樹脂のフィルムを基材とし、フィルムの一方の面に導電性のある金属を蒸着して導電膜を形成し、表面から裏面に貫通する孔を複数設けた構成であってもよい。
弾性部材６２１２は、中綿を熱を加えて圧縮したものであって、弾性、通気性および絶縁性を有する。弾性部材６２１２は、外部から力を加えられると変形し、外部から加えられた力が取り除かれると元の形状に戻る。なお、弾性部材６２１２は、中綿以外の素材であってもよく、例えば、合成樹脂をスポンジ状や不織布状にしたものなどであってもよい。
【００１９】
次に、静電型スピーカ６２１の構成について説明する。振動体６２１１は、弾性部材６２１２Ｕと弾性部材６２１２Ｌに挟まれている。また、弾性部材６２１２Ｕには、振動体６２１１が配置された側の面とは反対側の面に電極６２１３Ｕが配置されており、弾性部材６２１２Ｌには、振動体６２１１が配置された側の面とは反対側の面に電極６２１３Ｌが配置されている。つまり、電極６２１３Ｕと電極６２１３Ｌは弾性部材６２１２Ｕ，６２１２Ｌと振動体６２１１とを挟んで対向するように配置されている。なお、静電型スピーカ６２１は、電極６２１３Ｕ，６２１３Ｌと、振動体６２１１と、弾性部材６２１２Ｕ，６２１２Ｌの各部材を図示せぬ絶縁性を有した糸で縫い合わされているため、それぞれの部材の位置関係が変化することがない。また、電極６２１３と、振動体６２１１と、弾性部材６２１２は、それぞれ曲げが可能で、柔軟性を有しているため、糸で縫い合わされた状態においても形状を自在に変形させることが可能に構成されている。
【００２０】
次に、静電型スピーカ６２１の電気的構成について説明する。静電型スピーカ６２１は、変圧器６２１４と、外部から音響信号が入力される入力部６２１５と、振動体６２１１に対して直流バイアスを与えるバイアス電源６２１６とを備えている。バイアス電源６２１６は、振動体６２１１と、変圧器６２１４の出力側の中点とに接続されており、２つの電極６２１３Ｕ，６２１３Ｌはそれぞれ変圧器６２１４の出力側の一端および他端に接続されている。この構成においては、入力部６２１５に音響信号が入力されると入力された音響信号に応じた電圧が電極６２１３Ｕ，６２１３Ｌに印加され、静電型スピーカ６２１は、プッシュプル型の静電型スピーカとして動作する。すなわち、バイアス電源６２１６、変圧器６２１４および入力部６２１５は、振動体へバイアス電圧を印加し、入力された音響信号を電極に供給する駆動部の一例として機能する。
【００２１】
例えば、入力部６２１５に音響信号が入力されると、入力された音響信号に応じた電圧が変圧器６２１４から電極６２１３Ｕと電極６２１３Ｌに印加される。そして、印加された電圧によって電極６２１３Ｕと電極６２１３Ｌとの間に電位差が生じると、電極６２１３Ｕと電極６２１３Ｌとの間にある振動体６２１１には、電極６２１３Ｕと電極６２１３Ｌのいずれかの側へ引き寄せられるような静電力が働く。
【００２２】
入力部６２１５に音響信号が入力され、この音響信号が変圧器６２１４に供給されて電極６２１３Ｕにプラスの電圧が印加され、電極６２１３Ｌにマイナスの電圧が印加されると、振動体６２１１にはバイアス電源６２１６によりプラスの電圧が印加されているため、振動体６２１１は、プラスの電圧が印加されている電極６２１３Ｕと反発する一方、マイナスの電圧が印加されている電極６２１３Ｌに吸引され、電極６２１３Ｌ側へ変位する。
【００２３】
また、入力部６２１５に音響信号が入力され、この音響信号が変圧器６２１４に供給されて電極６２１３Ｕにマイナスの電圧が印加され、電極６２１３Ｌにプラスの電圧が印加されると、振動体６２１１はプラスの電圧が印加されている電極６２１３Ｌと反発する一方、マイナスの電圧が印加されている電極６２１３Ｕに吸引され、電極６２１３Ｕ側へ変位する。
【００２４】
このように、振動体６２１１が音響信号に応じて電極６２１３Ｕ側または電極６２１３Ｌ側に変位し、その変位方向が逐次変わることによって振動となり、その振動状態（振動数、振幅、位相）に応じた音が振動体６２１１から発生することになる。なお、発生した音は、弾性部材６２１２Ｕ，６２１２Ｌ、電極６２１３Ｕ，６２１３Ｌを通過して静電型スピーカ６２１の外部に放射されることになる。
【００２５】
（収容部７の構成）
図４は、図２のスピーカ装置５ａの断面図である。図４（ａ）は図２のスピーカ装置５ａのＡ−Ａ´線断面図である。また、図４（ｂ）は図２のスピーカ装置５ａのＢ−Ｂ´線断面図である。
図２と図４に示すように、収容部７は、収容筐体７１と、回転軸７３と、巻取り機構７４と、雌型コネクタ７２１，７２２と、位置検出器７５と、開口部７６とを備えている。収容部７の収容筐体７１は、例えば金属や各種の樹脂材料などの比較的硬い材料によって、円筒状に形成されている。なお、収容部７の収容筐体７１は、放音部６の材料の硬さよりも硬い（ビッカース硬さ及びヤング率の値が大きい）材料によって形成されている。収容筐体７１の側面には、収容筐体７１の内外の空間に通じる矩形の開口部７６が設けられている。開口部７６のＺ軸方向の長さは、放音部６のＺ軸方向の長さよりも長く、開口部７６のＹ軸方向の長さは、放音部６のＹ軸方向の長さよりも長く形成されている。雌型コネクタ７２１，７２２は、収容筐体７１の外周面に配置されており、収容筐体７１をＺ軸方向から見たときに開口部７６に対向する位置に配置されている。また、雌型コネクタ７２１と雌型コネクタ７２２は、Ｚ軸方向に予め決められた間隔を開けて収容筐体７１に設けられている。雌型コネクタ７２１と雌型コネクタ７２２は、他のスピーカ装置の放音部に設けられた雄型コネクタと接続されることで、他のスピーカ装置の放音部を張力のかかった状態で支持するように構成されている。例えば、図２においては、雌型コネクタ７２１ｂと雄型コネクタ６３１ａとを接続させ、雌型コネクタ７２２ｂと雄型コネクタ６３２ａとを接続させることで、雌型コネクタ７２１ｂと雌型コネクタ７２２ｂが、スピーカ装置５ａの放音部６を張力のかかった状態で支持することになる。
【００２６】
収容筐体７１の内部には、収容筐体７１の長手方向を軸方向とする回転軸７３が回転自在に設けられている。また、回転軸７３には、放音部６の左端が固定されている。巻取り機構７４は、収容部７から引き出された放音部６を、回転軸７３に巻きつけて収容するために設けられている。例えば、巻取り機構７４は、弾性に富む帯状の金属をその面方向に渦巻き状に巻き込んで形成された、所謂ぜんまいばねを有している。巻取り機構７４のぜんまいばねは、放音部６を引き出す方向に回転軸７３が回転されることによって巻き込まれ、巻き込まれた渦巻きを元に戻すための力を動力源として蓄える。また、巻取り機構７４のぜんまいばねは、巻き込まれた渦巻きを元に戻すための力を動力源として、放音部６を巻きつける方向に回転軸７３を回転させる。すなわち、回転軸は、放音部の端部が固定され、放音部を巻き取る軸の一例として機能し、巻取り機構は、放音部を巻き取る方向へ軸を回転させる巻取り手段の一例として機能する。
【００２７】
放音部６が回転軸７３に巻き取られた状態、つまり、放音部６が収容部７の収容筐体７１に収容されている状態においては、放音部６が外部に露出することなく片づけられている。また、収容筐体７１は、収容筐体７１の外部から加えられた力が放音部６の静電型スピーカに直接伝わることを防止するから、外部から加えられた力によって放音部６の静電型スピーカ（振動体）が破損する可能性を小さくする。
【００２８】
位置検出器７５は、例えばアブソリュート方式のロータリーエンコーダであり、放音部６の全てが収容部７に収容された状態における回転軸７３の角度を基準として回転軸７３が回転した角度（以下、回転角度と称する）を計測して出力する。回転軸７３は、収容部７から放音部６が引き出されることで回転する。つまり、収容部７から引き出された放音部６の長さに応じて回転角度が一意に定められるから、位置検出器７５が出力する回転角度は、収容部７から引き出された放音部６の長さに応じた値を示す。
【００２９】
（支持部８の構成）
支持部８は、収容部７が転倒するのを防ぐための部材であり、その形状は円盤状となっている。支持部８の支持筐体８１において、上面の中心部には孔８３が設けられている。また、収容部７の収容筐体７１において、下面の中心部には雄ねじ７７が設けられている。雄ねじ７７を孔８３に挿入して嵌め合わせることにより、収容部７の収容筐体７１が支持部８の支持筐体８１に固定される。つまり、支持部８の支持筐体８１が、収容部７の収容筐体７１を支持する。なお、支持部８の支持筐体８１の内部には、スピーカ装置５の各部を制御する制御ユニット８２が設けられている。また、支持筐体８１および収容筐体７１は、互いの筐体内の空間を共有し得るような孔を設けることで、例えば配線などの引き込み、引き出しを可能としてもよい。
【００３０】
（制御ユニットのハードウェア構成）
次に、制御ユニット８２のハードウェア構成について、図２、図４、図５を用いて説明する。なお、本実施形態において、スピーカ装置５ａとスピーカ装置５ｂは、それぞれ制御ユニット８２を備えている。そこで、図５の制御ユニット８２は、図２、図４に示されたスピーカ装置５ａに備えられているものとする。図５は、制御ユニット８２のハードウェア構成を示すブロック図である。図に示されているように、制御ユニット８２は、制御部８２１と、接続部８２２と、信号処理部８２３とを備えている。
【００３１】
接続部８２２は、ケーブル３が接続されるコネクタを備えている。また、接続部８２２には、再生装置２から出力された音響信号がケーブル３を介して入力される。信号処理部８２３は、静電型スピーカ６２１，６２２，６２３のそれぞれに対応したアンプを備えており、再生装置２から出力された音響信号を増幅して静電型スピーカ６２１，６２２，６２３に対して出力する機能を備えている。
【００３２】
制御部８２１は、ＣＰＵ（Central Processing Unit）等の演算処理装置や、ＲＯＭ（Read Only Memory）やＲＡＭ（Random Access Memory）等の各種メモリを備えている。制御部８２１のＣＰＵは、ＲＯＭに記憶されているプログラムを読み出しＲＡＭにロードして実行することによりスピーカ装置５の各部を制御する機能を備えている。
制御部８２１には、雄型コネクタ６３１ａと雌型コネクタ７２１ａとが接続されている。また、制御部８２１には、雄型コネクタ６３１ａに他のスピーカ装置に備えられた雌型コネクタが接続されたことを検知するための機能が備えられている。例えば、制御部８２１が、雄型コネクタ６３１ａに雌型コネクタ７２１ｂが接続されたことを検知する場合について説明する。まず、雌型コネクタ７２１ｂには、スピーカ装置５ｂの制御部８２１から出力された信号が入力されている。そして、雌型コネクタ７２１ｂと雄型コネクタ６３１ａが接続されると、この信号が雌型コネクタ７２１ｂから雄型コネクタ６３１ａへと供給される。雄型コネクタ６３１ａは、制御部８２１に接続されている。したがって、雌型コネクタ７２１ｂから雄型コネクタ６３１ａに供給された信号は、雄型コネクタ６３１ａを介して制御部８２１へと供給されることになる。制御部８２１は、この信号を検知することによって、雄型コネクタ６３１ａに雌型コネクタ７２１ｂが接続されたと判断する。なお、制御部８２１は、スピーカ装置５ｂの制御部８２１と同様に、雌型コネクタ７２１ａに対して信号を出力する。
【００３３】
また、制御部８２１のＲＯＭには、位置検出器７５から入力される回転角度に対応づけて、収容部７の外側に位置する静電型スピーカ６２１，６２２，６２３を特定するための情報（位置情報）が記述されている。例えば、制御部８２１のＲＯＭには、位置情報として、回転角度ａに対応づけて静電型スピーカ６２３、回転角度ｂ（ｂ＞ａ）に対応づけて静電型スピーカ６２３と静電型スピーカ６２２、回転角度ｃ（ｂ＞ｃ）に対応づけて静電型スピーカ６２３と静電型スピーカ６２２と静電型スピーカ６２１が収容部７の外側に位置している旨が記述されている。制御部８２１は、回転角度が入力されると、収容部７の外側に位置する静電型スピーカ６２１，６２２，６２３を特定する。すなわち、制御部は、複数の静電型スピーカのうち、筐体外にある静電型スピーカを検知する検知手段の一例として機能する。
【００３４】
（スピーカシステム４の動作）
スピーカ装置５は、収容部７に放音部６が収容されている状態においては、放音部６が収容筐体７１によって保護されるから、外部から加えられた力によって振動体が破損する可能性を小さくする。
【００３５】
利用者は、スピーカ装置５ａとスピーカ装置５ｂをスピーカシステム４として設置するために、スピーカ装置５ａの収容部７から放音部６を引き出す。この際、位置検出器７５は、収容部７から引き出された放音部６の長さに応じた回転角度を出力する。制御部８２１は、ＲＯＭに記述された位置情報と、位置検出器７５から出力された回転角度に基づいて、収容部７から引き出された放音部６の静電型スピーカを特定する。
【００３６】
そして、利用者は、放音部６に設けられた雄型コネクタ６３１ａと、スピーカ装置５ｂに設けられた雌型コネクタ７２１ｂとを接続させ、放音部６に設けられた雄型コネクタ６３２ａと、スピーカ装置５ｂに設けられた雌型コネクタ７２２ｂとを接続させる。この接続により、スピーカ装置５ｂの制御部８２１から出力された信号が雌型コネクタ７２１ｂから雄型コネクタ６３１ａへと供給されることになる。
【００３７】
制御部８２１は、雄型コネクタ６３１ａと雌型コネクタ７２１ｂとが接続されたことを検知すると、信号処理部８２３の制御を開始する。制御部８２１は、収容部７の外側に位置していると判断した静電型スピーカ６２１，６２２，６２３に対して、再生装置２から入力された音響信号を出力するように信号処理部８２３を制御する。例えば、制御部８２１は、静電型スピーカ６２３と静電型スピーカ６２２が収容部７の外側に位置していると特定した場合においては、静電型スピーカ６２３と静電型スピーカ６２２に対してのみ音響信号を出力するように信号処理部８２３を制御する。つまり、制御部８２１は、放音部６に備えられた静電型スピーカ６２１，６２２，６２３のうち、収容部７の外側に位置する静電型スピーカにだけ音響信号に応じた音響波を発生させ、収容部７の内側に位置する静電型スピーカには音響波を発生させないように制御する。
【００３８】
なお、制御部８２１は、雄型コネクタ６３１の接続を検知しない状態においては、信号処理部８２３の制御を開始しない。つまり、信号処理部８２３が放音部６に音響信号を出力しないから、放音部６から音響信号に応じた音響波が発生することが無い。
【００３９】
［変形例］
上述した実施形態は、本発明の実施の一例にすぎない。本発明は、上述した実施形態に対して以下の変形を適用した態様で実施することも可能である。なお、以下に示す変形例は、必要に応じて、各々を適当に組み合わせて実施されてもよいものである。
【００４０】
（変形例１）
上述した実施形態において、スピーカシステム４は、音響波を発生させるためのスピーカ装置５ａと、スピーカ装置５ａの放音部６ａを張力のかかった状態で支持するためのスピーカ装置５ｂとから構成されていた。しかし、スピーカシステム４の構成はこれに限らず、少なくとも２以上のスピーカ装置５から構成されていればよい。
図６は、変形例に係るスピーカシステムの正面図である。
スピーカシステム４０は、スピーカ装置５ａと、スピーカ装置５ｂと、スピーカ装置５ｃとから構成されている。スピーカ装置５ａとスピーカ装置５ｂは、音響信号に応じた音響波を発生させるために設けられている。スピーカ装置５ｂはスピーカ装置５ａの放音部６ａを張力のかかった状態で支持するために設けられており、スピーカ装置５ｃはスピーカ装置５ｂの放音部６ｂを張力のかかった状態で支持するために設けられている。
【００４１】
スピーカ装置５ａは、再生装置２から出力された音響信号が入力される接続部８２２ａを備えている。スピーカ装置５ａは、接続部８２２ａと雄型コネクタ６３１０とが接続されており、接続部８２２ａに入力された音響信号が雄型コネクタ６３１０に供給されるように構成されている。スピーカ装置５ｂは、雌型コネクタ７２１０と接続された接続部８２２ｂを備えており、雌型コネクタ７２１０に入力された音響信号が接続部８２２ｂに供給されるように構成されている。雄型コネクタ６３１０と雌型コネクタ７２１０には、音響信号を伝達し得る電極（以降、スピーカ電極と称する）が設けられている。このような構成を有することで、スピーカシステム４０は、スピーカ装置５ａの接続部８２２ａに入力された音響信号を、雄型コネクタ６３１０と雌型コネクタ７２１０に設けられたスピーカ電極を介して、スピーカ装置５ｂの接続部８２２ｂに供給することが可能となる。なお、スピーカ装置５は、接続部８２２ａに入力された音響信号に応じた音響波を放音部６から発生することが可能である。したがって、スピーカシステム４０は、スピーカ装置５ａの接続部８２２ａに入力された音響信号に応じた音響波を、放音部６ａおよび放音部６ｂから発生させることが可能となる。
【００４２】
さらに、スピーカ装置５ａは、放音部６ａと放音部６ｂに対する音響信号の入力を切り替えることで、放音部６ａと放音部６ｂに同一の音響波を発生（所謂モノラル）させてもよいし、異なる音響波を発生させてもよい。異なる音響波を発生させる場合、スピーカ装置５ａは、放音部６ａと放音部６ｂに対して、例えばステレオのように２チャンネルの音響信号に応じた音響波を発生させてもよいし、異なる音響信号に応じた音響波を発生させてもよい。なお、音響信号の切り替えは、次のようにすればよい。
再生装置は、Ｌチャンネルと、Ｒチャンネルの、２つのチャンネルで音響信号を出力する機能を備える。なお、Ｌチャンネルで出力される音響信号を音響信号Ｌ、Ｒチャンネルで出力される音響信号を音響信号Ｒと称する。スピーカ装置５ａは、Ｌチャンネルに対応した制御ユニット８２Ｌと、Ｒチャンネルに対応した制御ユニット８２Ｒとを備える。制御ユニット８２Ｌは、制御部８２１Ｌと、音響信号Ｌが入力される接続部８２２Ｌと、音響信号Ｌを増幅して放音部６ａに出力する信号処理部８２３Ｌとを備える。また、制御ユニット８２Ｒは、制御部８２１Ｒと、音響信号Ｒが入力される接続部８２２Ｒと、音響信号Ｒを増幅して放音部６ｂに出力する信号処理部８２３Ｒとを備える。つまり、制御ユニット８２Ｌと制御ユニット８２Ｒは、本実施形態における制御ユニット８２と同一の構成を備えている。このような構成とすることで、制御ユニット８２Ｌの制御部８２１Ｌが、音響信号Ｌに応じた音響波を放音部６ａから発生させ、制御ユニット８２Ｒの制御部８２１Ｒが、音響信号Ｒに応じた音響波を放音部６ｂから発生させることが可能となる。
また、スピーカ装置５の筐体部分には、音響信号の入力を切り替えるためのユーザーインタフェース（入力切替スイッチ）が備えられても良い。そして、スピーカシステム４０の利用者が、任意のタイミングで入力切替スイッチを操作することで、放音部６に対する音響信号の入力を切り替えてもよい。
なお、再生装置２、および、スピーカ装置５が対応するチャンネルの数は、２に限らずいくつであってもよい。また、チャンネルに応じた音響信号は、放音部６ごとではなく、静電型スピーカ６２１ごとに入力されてもよい。
【００４３】
なお、スピーカシステム４０は、再生装置２とスピーカ装置５ａ、再生装置２とスピーカ装置５ｂとをケーブル３で接続することで、再生装置２からスピーカ装置５ａ，５ｂに対して音響信号が出力されるように構成してもよい。
【００４４】
（変形例２）
放音部６に設けられる雄型コネクタの個数は２に限らない。雄型コネクタは、放音部６に少なくとも1以上設けられていればよい。また、制御部８２１が、雄型コネクタと、他のスピーカ装置に備えられた雌型コネクタとの接続を検知できればよい。また、収容部７に設けられる雌型コネクタの個数は２に限らない。雌型コネクタは、収容部７に少なくとも1以上設けられていればよく、他のスピーカ装置の放音部に設けられる雄型コネクタの個数と同じであればよい。
【００４５】
収容筐体の外周面に設けられる雌型コネクタの位置および数は、図４に示した例に限らない。図７は、変形例に係るスピーカ装置５の断面図である。
雌型コネクタ７２５は、収容筐体７１の外周面に配置されており、収容筐体７１をＺ軸方向から見たときに開口部７６に対向する位置に配置されている。また、雌型コネクタ７２４と雌型コネクタ７２６は、収容筐体７１の外周面に配置されており、開口部７６と雌型コネクタ７２５の中間の位置に、それぞれ対向して配置されている。このように、収容筐体７１の外周面に複数の雌型コネクタが設けられている場合においては、１のスピーカ装置５に対して複数のスピーカ装置５が接続可能となる。
なお、放音部６に雌型コネクタ、収容部７に雄型コネクタが設けられていてもよい。
【００４６】
（変形例３）
上述した実施形態において、放音部６は、Ｚ軸方向に長手方向を有する静電型スピーカをＸ軸方向に所定の間隔をあけて並べることで構成されていた。しかし、放音部６に設けられた静電型スピーカが、Ｚ軸方向に長手方向を有するとは限らない。例えば、放音部６は、Ｘ軸方向に長手方向を有する静電型スピーカを、Ｚ軸方向に所定の間隔を空けて並べることで構成されてもよい。
また、上述した実施形態において、スピーカ装置５は１の放音部６を備えていたが、スピーカ装置５は１以上の放音部６を備えていてもよい。
【００４７】
図８は、変形例に係るスピーカシステムの正面図である。
スピーカシステム４００は、音響波を発生させるスピーカ装置５ａと、スピーカ装置５ａに接続されるスピーカ装置５ｂとから構成されている。本変形例において、スピーカ装置５ａ，５ｂの構成は同じであるため、両者を区別する必要が特に無い場合には「ａ」および「ｂ」の記載を省略する。スピーカ装置５は、放音部６０ｃと、放音部６０ｄと、収容部７０と、支持部８とを備えている。本変形例においては、放音部６０ｃ，６０ｄの構成は同じであるため、両者を区別する必要が特に無い場合には「ｃ」および「ｄ」の記載を省略する。
【００４８】
放音部６０は、正面から見て矩形の形状を有しており、保護布６１３，６１４と、静電型スピーカ６２４と、雄型コネクタ６３１とを備えている。放音部６０の左端は、固定端として収容部７０の内部に固定されている。放音部６０の右端は、自由端である。また、放音部６０の右端には、雄型コネクタ６３１が設けられている。放音部６０の上端，下端は、右端と同様に自由端である。雄型コネクタ６３１は、スピーカ装置５ｂに設けられた雌型コネクタ７２１と接続する。保護布６１３，６１４は、正面から見て矩形の形状をした所謂布である。保護布６１３と保護布６１４の間には、Ｘ軸方向を長手方向とした静電型スピーカ６２４が配置されている。なお、図８においては、説明の都合上、保護布６１３の一部が省略されており、静電型スピーカ６２４の一部が保護布６１３に覆われずに露出しているが、実際には静電型スピーカ６２４のすべてが保護布６１３に覆われて構成されるものとする。
【００４９】
収容部７０は、Ｚ軸方向に所定の間隔を空けて設けられた、放音部６０ｃと放音部６０ｄとをそれぞれ引き出し可能に構成されている。スピーカ装置５ａの制御部は、雄型コネクタ６３１ｃと、他のスピーカ装置に備えられた雌型コネクタとの接続を検知するための機能を備えている。また、スピーカ装置５ａの制御部は、雄型コネクタ６３１ｄと、他のスピーカ装置に備えられた雌型コネクタとの接続を検知するための機能を備えている。そして、スピーカ装置５ａの制御部は、放音部６０ｃ、放音部６０ｄのいずれか一方、もしくは両方から音響信号に応じた音響波を発生させることが可能に構成されている。このような構成とすることで、スピーカシステム４００は、例えば、聴者の耳の高さに応じて引き出された放音部から音響波を発生させることが可能となる。また、スピーカ装置５ａの制御部は、複数の放音部６０が引き出されたことを検知した場合には、夫々の放音部６０に対して同一の音響信号に応じた音響波を発生させてもよいし、異なる音響信号に応じた音響波を発生させてもよい。
【００５０】
（変形例４）
上述した実施形態において、放音部６は、静電型スピーカ６２１，６２２，６２３を備えているものとした。しかし、放音部６が備える静電型スピーカの数は３に限らず、１以上の静電型スピーカを備えていればよい。また、放音部６が２以上の静電型スピーカを備える場合においては、制御部８２１は、各静電型スピーカに対する音響信号の入力を切り替えることで、同一の音響波を発生（所謂モノラル）させてもよいし、異なる音響波を発生させてもよい。異なる音響波を発生させる場合、制御部８２１は、各静電型スピーカに対して、例えばステレオのように２チャンネルの音響信号に応じた音響波を発生させてもよいし、異なる音響信号に応じた音響波を発生させてもよい。
【００５１】
（変形例５）
上述した実施形態においては、スピーカシステム４を構成するスピーカ装置５ａとスピーカ装置５ｂとは、同一の構成を備えるものとした。しかし、スピーカ装置５ｂがスピーカ装置５ａの放音部６ａを支持するためだけに用いられる場合においては、スピーカ装置５ｂは、スピーカ装置５ａと同一の構成を備える必要は無く、少なくとも放音部６と制御ユニット８２とを備えない構成であってもよい。
【００５２】
（変形例６）
上述した実施形態において制御部８２１は、ＲＯＭに記述された位置情報と、位置検出器７５から出力された回転角度に基づいて、収容部７から引き出された放音部６の静電型スピーカを特定した。そして、制御部８２１は、収容部７の外側に位置する静電型スピーカにだけ音響信号に応じた音響波を発生させ、収容部７の内側に位置する静電型スピーカには音響波を発生させないように制御した。
しかし、制御部８２１は、収容部７の内側に位置する静電型スピーカに対して、音響波を発生させるように制御してもよい。また、制御部８２１は、収容部７から引き出された放音部６の長さに応じて、静電型スピーカに発生させる音響波の音量レベル、指向性、周波数特性を制御してもよい。例えば、制御部８２１は、収容部７から引き出された放音部６の長さが短い場合においては音量レベルを高くしたり、収容部７から引き出された放音部６の長さが長い場合においては音量レベルを低くしたりしてもよい。また、例えば、制御部８２１は、収容部７から引き出された静電型スピーカの数に応じて、それぞれの静電型スピーカに供給する音響信号の遅延量を調整することで、スピーカシステム４から放射される音の指向性を制御してもよい。また、指向性は周波数特性を有しているから、特に高周波帯域においては低周波帯域よりも指向性が強くなる。したがって、制御部８２１は、周波数帯域に応じて指向性が変化しないように、スピーカシステム４から放射される音の指向性を制御してもよい。
【００５３】
（変形例７）
制御部８２１は、それぞれの静電型スピーカに供給する音響信号の遅延量を調整することで、スピーカシステム４から放射される音の指向性を制御してもよい。
（変形例８）
上述した実施形態において放音部６は、回転軸７３に巻きつけられることで収容部７に収容された。しかし、放音部６を収容部７に収容する方法はこれに限らない。
図９は、変形例に係る収容部７００と放音部６００の断面図である。
図９に示したように、収容部７００の収容筐体７１０は、四角筒に形成されており、側面に開口部７６０を有している。雌型コネクタ７２１は、収容筐体７１０の外周面に配置されており、収容筐体７１０をＺ軸方向から見たときに開口部７６０に対向する位置に配置されている。放音部６００の左端は固定端として収容筐体７１０の内部の固定部７１２に固定されており、放音部６００の右端は自由端である。放音部６００の右端には、雄型コネクタ６３１が設けられている。放音部６００の上端，下端は、右端と同様に自由端である。また、放音部６００は、谷折りと山折りを交互に繰り返す、所謂蛇腹折りで折り畳まれることで収容筐体７１０内に収容される。
【００５４】
収容筐体７１０には、開口部７６０を閉じるための蓋７８０が設けられている。蓋７８０は、開口部７６０の近傍の収容筐体７１０の内側に設けられた蝶番７１１で開閉自在に設けられている。開口部７６０が閉じられている状態においては、収容筐体７１０は、収容筐体７１０の外部から加えられた力が放音部６００の静電型スピーカに直接伝わることを防止する。また、収容筐体７１０は、放音部６００に比べて硬い部材で形成されているから、外部から加えられた力によって放音部６００の静電型スピーカ（振動体）が破損する可能性を小さくする。なお、収容筐体７１０の形状は円筒、四角筒に限定されるものではなく、多角形、楕円形など、他の形状であってもよい。なお、収容筐体７１０には、蓋７８０が設けられていなくてもよい。
【００５５】
（変形例９）
巻取り機構７４を、ぜんまいばねを動力源として回転軸７３を回転させるものとした。しかし、巻取り機構７４は、例えばモーターなどの動力に応じて回転軸７３を回転させるものであってもよいし、回転軸７３を回転させるための図示せぬハンドルを備え、人の力によって放音部６を巻き取るものであってもよい。つまり、巻取り機構７４は、回転軸７３を所定の方向に回転させることによって、回転軸７３に固定された放音部６を巻取る構成を有していればよい。
【００５６】
（変形例１０）
上述した実施形態においては、放音部６、静電型スピーカ６２１，６２２，６２３の形状は矩形に限定されるものではなく、多角形、円形、楕円形など、他の形状であってもよい。また、収容部７の収容筐体７１の形状は円柱に限定されるものではなく、多角柱であってもよい。
【００５７】
（変形例１１）
静電型スピーカ６２１を構成する、電極６２１３Ｕ，６２１３Ｌ、振動体６２１１、弾性部材６２１２Ｕ，６２１２Ｌの各部材は、絶縁性を有する糸で拘束されていたが、例えば絶縁性を有する接着テープで拘束されていてもよい。つまり、静電型スピーカ６２１を構成する、電極６２１３Ｕ，６２１３Ｌ、振動体６２１１、弾性部材６２１２Ｕ，６２１２Ｌの各部材の位置関係が変化しないよう拘束できればよい。
【００５８】
（変形例１２）
スピーカ装置５とは異なる外部の装置が、制御ユニット８２の機能を備えている場合には、スピーカ装置５は制御ユニット８２を備えていなくてもよい。
【００５９】
（変形例１３）
上述した実施形態において制御部８２１は、位置検出器７５が出力した回転角度に基づいて、収容部７の外側に位置する静電型スピーカを特定した。しかし、収容部７の外側に位置する静電型スピーカを特定する方法はこれに限らない。
例えば、位置検出器７５をインクリメンタル形のロータリーエンコーダとすることで、位置検出器７５に回転軸７３の回転回数を出力させる。そして、制御部８２１が、ＲＯＭに記述された回転回数と静電型スピーカの位置に関する情報に基づいて、収容部７の外側に位置する静電型スピーカを特定してもよい。
また、例えば、静電型スピーカを識別する情報が記憶された非接触型のＩＣチップを、夫々の静電型スピーカに対応付けて設け、ＩＣチップの情報を読み取るリーダー装置を収容筐体の開口部付近に設ける。このような構成とすることで、制御部８２１が、収容筐体の開口部を通過するＩＣチップの情報をリーダー装置に読み取らせることで、収容部７の外側に位置する静電型スピーカ６２１を特定してもよい。
【００６０】
（変形例１４）
放音部は、１の静電型スピーカを備える場合においては、保護布を備えていなくてもよい。この場合、静電型スピーカは、その左端を固定端として収容部の回転軸に固定され、自由端であるその右端に雄型コネクタが設けられる。
【００６１】
（変形例１５）
上述した実施形態においては、２枚の電極と１枚の振動体とを有する所謂プッシュプル型の静電型スピーカを用いたが、１枚の電極と１枚の振動体とを有する所謂シングル型の静電型スピーカを用いてもよい。要は、音響信号に応じて変化する電場が形成され、帯電した振動体がこの電場から静電力をうけて変位し、その変位する方向が逐次変わることによって振動となり、その振動状態（振動数、振幅、位相）に応じた音が振動体から発生する構成であればよい。
【符号の説明】
【００６２】
１…音響システム、２…再生装置、３…ケーブル、４，４０，４００…スピーカシステム、５…スピーカ装置、６，６００，６０１，６０２…放音部、６１１，６１２，６１３，６１４…保護布、６２１，６２２，６２３，６２４…静電型スピーカ、６２１１…振動体、６２１２…弾性部材、６２１３…電極、６２１４…変圧器、６２１５…入力部、６２１６…バイアス電力供給源、６３１，６３２，６３１０…雄型コネクタ、７，７０，７００…収容部、７１，７１０…収容筐体、７１１…蝶番、７１２…固定部、７２１，７２１０，７２２，７２４，７２５，７２６…雌型コネクタ、７３…回転軸、７４…巻取り機構、７５…位置検出器、７６，７６０…開口部、７８０…蓋、８…支持部、８１…支持筐体、８２…制御ユニット、８２１…制御部、８２２…接続部、８２３…信号処理部、８３…孔、９…電力供給源
【図１】
2012005061.tif 000003
【図２】
2012005061.tif 000004
【図３】
2012005061.tif 000005
【図４】
2012005061.tif 000006
【図５】
2012005061.tif 000007
【図６】
2012005061.tif 000008
【図７】
2012005061.tif 000009
【図８】
2012005061.tif 000010
【図９】
2012005061.tif 000011